(57)【特許請求の範囲】
【請求項１】
床スラブの上方に床パネルが配設された二重床構造のフリーアクセスフロアにおいて、
上記床パネルは、通水性材料により形成されているとともに、
上記床パネル上に、吸水性を有するカーペットが敷設され、
上記床パネルの下面と上記床スラブとの間に、保水性を有するセラミックス系建設廃材が配設されていることを特徴とするフリーアクセスフロア。
【請求項２】
上記床パネルの下面と上記床スラブとの間には、非通水性材料の下面パネルが配設されているとともに、上記床パネルと当該下面パネルとの間に上記セラミックス系建設廃材が配設され、かつ上記床パネルと当該下面パネルとが一体的に形成されていることを特徴とする請求項１に記載のフリーアクセスフロア。
【発明の詳細な説明】
【技術分野】
【０００１】
本発明は、オフィスなどの床を二重構造に施工するためのフリーアクセスフロアに関するものである。
【背景技術】
【０００２】
一般に、フリーアクセスフロアは、床スラブの上方に床パネルを配設した二重床構造になっている。このフリーアクセスフロアは、床スラブと床パネルとの間に、大量のケーブル類を敷設するために用いられる。そのため、従来では、大型コンピュータを多数管理する電算室などに用いられていた。しかし、近年、一般のオフィスにおいてもＯＡ化が進み、パソコンやプリンタなどが増え、さらにはインターネットの普及により、ＬＡＮケーブルなど多くのケーブル類が使用されるようになった。これにより、一般のオフィスにおいてもフリーアクセスフロアが用いられるようになった。
【０００３】
ところで、上記一般のオフィスの多くには、火災発生時に初期消火を行うスプリンクラーが設置されている。このスプリンクラーに用いられる水源のほとんどが、火災発生時の初期消火として使用される。ところが、初期消火の際に、火源に到達せず、その周囲に放出されたスプリンクラーの水は、隣室や下階に流出してしまうなど、火災室に留まるとは限らない。したがって、火源に到達しなかったスプリンクラーの水には、火災の抑制効果を期待することができない。
【０００４】
そこで、火源以外に放出されたスプリンクラーの水を、火災室内に留めることができれば、万一スプリンクラーから放出される水により消火できなかったとしても、火災室内に留まったスプリンクラーから放出された水が、火災の拡大に応じて蒸発する際に、火災の熱の一部は蒸発潜熱として消費されるため、延焼拡大や火災室の温度上昇を抑制する効果が期待できる。
【０００５】
ところが、上記フリーアクセスフロアを用いた床においては、火源以外に放出された上記スプリンクラーの水を、上記火災室内に留めることができない。そのため、上記スプリンクラーから放出された水が、上記火災室から隣室や下階に流出してしまい、水損の二次被害を招いてしまう。
【０００６】
そこで、下記特許文献１において、フリーアクセスフロアの底上げしたパネル上にカーペット類を敷設し、このカーペット類を敷設した床面を所定のユニット単位に区画化して、当該床面の所定区画域の当該カーペット類を保水可能な吸水性のカーペットタイルにする方法、または上記床面の所定区画域の下方に放出された消火水などを貯留可能な貯留床を設ける方法などが提案されている。
【０００７】
この上記従来の方法では、スプリンクラーから放出された水が、吸水性の上記カーペットタイルに吸収されて保水される、またはスプリンクラーから放出された水が、床面の所定区画域の下方に設けられた貯留床に貯留されることになる。これにより、保水された水または貯留された水が、火災の拡大に応じて蒸発し、この際に火災の熱の一部が蒸発潜熱として消費されることによって、延焼拡大や火災室の温度上昇を抑制する効果を期待できる。
【先行技術文献】
【特許文献】
【０００８】
【特許文献１】特開２００３−１５５７９９号公報
【発明の概要】
【発明が解決しようとする課題】
【０００９】
しかしながら、上記従来のフリーアクセスフロアにおいては、床面の所定区域のみを吸水性のカーペットタイルにする方法、または床面の所定区域の下方に貯留床を設ける方法の何れの方法においても、所定区域以外に放出されたスプリンクラーの水を保水または貯留することができない。このため、所定区域以外に放出されたスプリンクラーの水は、同様に火災室外に流出してしまい、別の部屋や下階に侵入してしまうため、水損による二次災害を引き起こすという問題がある。
【００１０】
また、吸水性のカーペットタイルをフリーアクセスフロアの床板全面に敷設した場合、または貯留床をフリーアクセスフロアの床板全面の下方に設けた場合には、多大な施工費用が発生してしまうという問題もある。
【００１１】
本発明は、かかる事情に鑑みてなされたもので、火災時に、スプリンクラーから放出された水を膨大なコストをかけることなく、床スラブと床パネルとの間に留めることができるフリーアクセスフロアを提供することを課題とするものである。
【課題を解決するための手段】
【００１２】
上記課題を解決するために、請求項１に記載の発明は、床スラブの上方に床パネルが配設された二重床構造のフリーアクセスフロアにおいて、上記床パネルは、通水性材料により形成されているとともに、上記床パネル上に、吸水性を有するカーペットが敷設され、上記床パネルの下面と上記床スラブとの間に、保水性を有するセラミックス系建設廃材が配設されていることを特徴とするものである。
【００１３】
そして、請求項２に記載の発明は、請求項１の発明において、上記床パネルの下面と上記床スラブとの間には、非通水性材料の下面パネルが配設されているとともに、上記床パネルと当該下面パネルとの間に上記セラミックス系建設廃材が配設され、かつ上記床パネルと当該下面パネルとが一体的に形成されていることを特徴とするものである。
【発明の効果】
【００１４】
請求項１〜２に記載の発明によれば、床パネル上に、吸水性を有するカーペットが敷設されるとともに、通水性材料からなる床パネルの下面と床スラブとの間に、保水性を有するセラミックス系建設廃材を配設するため、火災の初期消火の際にスプリンクラーから火源以外に放出された水を床パネル上のカーペットに吸収させ、このカーペットの吸収可能な許容範囲を超えた水を、上記床パネルを介して上記セラミックス系建設廃材に簡便に保水させることができる。これにより、初期消火において消火できなかった場合に、上記カーペットおよびセラミックス系建設廃材に保水された水が、火災の熱により蒸発する際に、火災の熱の一部は水の蒸発潜熱として消費されることになるので、火災の延焼拡大や火災室の温度上昇を抑制することができる。
【００１５】
また、上記床パネルの下面と上記床スラブとの間に配設する保水部材が、セラミックス系建設廃材であるため、コストを抑えて施工することができるとともに、再資源・再利用が難しい建設廃材を容易に再利用することができる。この結果、フリーアクセスフロアの特定箇所だけでなく、広範囲に亘って、上記セラミックス系建設廃材を施工することができるとともに、建設廃材のリサイクル率を向上させることができる。
【００１６】
請求項２に記載の発明によれば、上記床パネルが、通水性材料の上記床パネルと非通水性材料の下面パネルとの間に、上記セラミックス系建設廃材を内包しているため、スプリンクラーから放出された水が、上記床パネルを介して上記セラミックス系建設廃材に保水された際に、上記セラミックス系建設廃材の保水量の許容範囲を超えた水が、下面パネル上に流れ出した場合でも、火災室内の床スラブへの流出、さらに火災室から隣室や下階への流出を防ぐことができる。これにより、水損による二次被害を最小限に抑えることができる。
【図面の簡単な説明】
【００１７】
【図１】本発明のフリーアクセスフロアの一実施形態を示す概略構成図である。
【図２】本発明のフリーアクセスフロアの別の実施形態を示す概略構成図である。
【発明を実施するための形態】
【００１８】
（実施の形態１）
図１に示すように、本発明の一実施形態のフリーアクセスフロアは、床スラブ３上に間隔を置いて配置された複数の支柱７と、この支柱７の各々の上方に配設された格子状の枠部材６と、この枠部材６上に配置された床パネル２と、この床パネル２上に敷設されたカーペット８とにより構成され、かつ枠部材６と床スラブ３との間に、セラミックス系建設廃材５が配設されて概略構成されている。
【００１９】
ここで、支柱７は、台座７ａと、この台座７ａの中心部に立設された柱部７ｂとが一体に形成されている。また、柱部７ｂの上部には、ボルト部７ｄが設けられているとともに、このボルト部７ｄに螺合した受け部７ｃが設けられている。
【００２０】
また、格子状の枠部材６は、定格の方形平板状に形成されているとともに、表面と裏面とを貫通する複数の孔６ｂが穿設されて格子状に形成されている。また、格子状の枠部材６は、角隅部に連結部６ａが形成されているとともに、各々の連結部６ａに孔６ｃが穿設されている。
【００２１】
そして、支柱７のボルト部７ｄが、複数枚の格子状の枠部材６の連結部６ａの各々の孔６ｃに係合されているとともに、連結部６ａの下面が支柱７の受け部７ｃに当接して、格子状の枠部材６が支承されている。
【００２２】
さらに、格子状の枠部材６の上面には、この枠部材６と同一形状をなす床パネル２が配置されている。この床パネル２は、パンチングメタルが用いられており、通水性を有する。また、床パネル２が敷設された格子状の枠部材６の下面と床スラブ３との間に、セラミックス系建設廃材５が配設されている。このセラミックス系建設廃材５は、建設現場などで出る保水性を有するセラミックス系の廃材、例えば、断熱材として用いられているグラスウールなどであり、必要に応じて平板状に加工する。
【００２３】
以上の構成からなるフリーアクセスフロアをオフィスなどの部屋に用いるには、まず、図１に示すように、床スラブ３上に複数の支柱７を配置する。この際に、支柱７は、格子状の枠部材６に形成された連結部６ａの位置に配置する。そして、支柱７の間にセラミックス系建設廃材５を配設する。この際に、格子状の枠部材６の下面と床スラブ３との間に、ＬＡＮケーブルなどのケーブル類が敷設される場所を避けて、セラミックス系建設廃材５を配設する。
【００２４】
次いで、格子状の枠部材６の連結部６ａの孔６ｃに、支柱７のボルト部７ｄを係合させて、受け部７ｃに格子状の枠部材６の連結部６ａを当接させる。この際に、格子状の枠部材６が水平に配設されなかった場合には、一旦格子状の枠部材６を取り外し、支柱７の受け部７ｃを回して、高さを調整する。
【００２５】
そして、施工する床スラブの上方に複数枚の格子状の枠部材６を配設した後に、各々の格子状の枠部材６の上面に、パンチングメタルの床パネル２を配置し、さらに、床パネル２を配置した後に、床パネル２の上面に、一定の面積に裁断されたカーペット８を敷設する。これにより、二重床構造のフリーアクセスフロア１が施工される。
【００２６】
次に、万一上記構成のフリーアクセスフロア１を施工した部屋において、火災が発生した場合について説明する。
まず、火災報知器などが火災発生を感知すると、この火災を感知した部屋に設置されている、複数のスプリンクラーが初期消火のために一斉に作動する。このスプリンクラーの作動により、火源がある火災室全体に水が放出される。
【００２７】
その際に、上記火災室内の火源以外の場所に放出された水が、フリーアクセスフロア１のカーペット８に吸収される。そして、カーペット８の吸収可能な水の許容範囲を超えると、床パネル２であるパンチングメタルの孔、および格子状の枠部材６に穿設された孔６ｂを通じて、セラミックス系建設廃材５上に流れ出す。すると、流れ出した上記水がセラミックス系建設廃材５に吸収されて保水される。
【００２８】
これにより、初期消火においてスプリンクラーから放出された水で、消火に使用されなかった分の水は、火災室から隣室や下階に流れ出すことなく、セラミックス系建設廃材５に吸収されて保水される。
【００２９】
また、万一初期消火により火源の消火ができなかった場合には、セラミックス系建設廃材５に保水された水が、火災の熱によって蒸発し、この際、火災室の熱の一部は水の蒸発潜熱として消費され、火災の延焼拡大および火災室の温度上昇が抑制されることになる。
【００３０】
（実施の形態２）
図２は、本発明のフリーアクセスフロア１の別の実施形態を示すもので、図１に示したものと同一構成部分については、同様に同一符号として、その説明を簡略化する。
このフリーアクセスフロア１としては、床スラブ３上に間隔を置いて配置された複数の支柱７と、この支柱７の各々の上方に配設されるとともに、セラミックス系建設廃材５を内包した床パネル２および下面パネル４と、この床パネル２上に敷設したカーペット８とにより概略構成されている。
【００３１】
ここで、支柱７は、実施の形態１と同様に、台座７ａと、この台座７ａの中心部に立設された柱部７ｂとが一体に形成されている。また、柱部７ｂの上部には、ボルト部７ｄが設けられているとともに、このボルト部７ｄに螺合した受け部７ｃが設けられている。
【００３２】
また、床パネル２は、定格の方形平板状に形成されているとともに、パンチングメタルが用いられており、通水性を有している。また、下面パネル４は、定格の方形箱状に形成されているとともに、非通水性を有する鋼板が用いられている。
【００３３】
そして、床パネル２と下面パネル４は、床パネル２の下面に下面パネル４を配置して一体的に形成されているとともに、下面パネル４の底面には、面方向の一方向に延在した支持凹部４ａが形成されている。この支持凹部４ａは、少なくとも４箇所形成されているとともに、各々が間隔を置いて平行に延設されている。また、各々の支持凹部４ａは、開口部に対向する面の長手方向に孔４ｂが穿設されている。この孔４ｂは、上記長手方向に間隔を置いて少なくとも２箇所穿設されている。
【００３４】
さらに、床パネル２と下面パネル４との間の空間には、下面パネル４に形成された支持凹部４ａを除く位置に、セラミックス系建設廃材５が内包されている。このセラミックス系建設廃材５は、実施の形態１と同様に、建設現場などで出る保水性を有するセラミックス系の廃材、例えば、断熱材として用いられているグラスウールなどを平板状に加工したものである。
【００３５】
そして、支柱７のボルト部７ｄが、下面パネル４の支持凹部４ａの孔４ｂに係合されているとともに、支持凹部４ａの開口部に対向する面が支柱７の受け部７ｃに当接されている。
【００３６】
以上の構成からなるフリーアクセスフロアをオフィスなどの部屋に用いるには、まず、図２に示すように、床スラブ３上に支柱７を配置する。この際に、支柱７は、床パネル２に形成された支持凹部４ａの位置に配置する。そして、必要に応じてＬＡＮケーブルなどのケーブル類を支柱７の間に敷設する。
【００３７】
次いで、各々の下面パネル４の支持凹部４ａの孔４ｂに、支柱７のボルト部７ｄを挿入して、受け部７ｃに支持凹部４ａの開口部に対向する面に当接させる。これにより、一体的に形成された床パネル２と下面パネル４とは、支柱７によって支承される。
【００３８】
そして、施工する床スラブの上方に、一体に形成された床パネル２と下面パネル４とを複数配設した後に、床パネル２の上面に、一定の面積に裁断されたカーペット８を敷設する。これにより、二重床構造のフリーアクセスフロア１が施工される。
【００３９】
次に、万一上記構成のフリーアクセスフロア１を施工した部屋において、火災が発生した場合について説明する。
まず、火災報知器などが火災発生を感知すると、この火災を感知した部屋に設置されている、複数のスプリンクラーが初期消火のために一斉に作動する。このスプリンクラーの作動により、火源である火災室全体に水が放出される。
【００４０】
その際に、上記火災室内の火源以外の場所に放出された水が、フリーアクセスフロア１のカーペット８に吸収される。そして、カーペット８の吸収可能な水の許容範囲を超えた水が、床パネル２であるパンチングメタルの孔を通過して、この床パネル２と下面パネル４との間の空間に内包されているセラミックス系建設廃材５上に流れ出す。すると、流れ出した水が、セラミックス系建設廃材５に吸収されて保水される。
【００４１】
これにより、初期消火においてスプリンクラーから放出された水で、消火に使用されなかった分の水が、火災室から隣室や下階に流れ出すことなく、セラミックス系建設廃材５に吸収されて保水される。この際に、セラミックス系建設廃材５の保水可能な許容範囲を超え水が、下面パネル４に流れ出してとしても、下面パネル４が非通水性の鋼板により方形箱状に形成されているため、床スラブ３に流れ出すことがない。
【００４２】
また、万一初期消火により火源の消火ができなかった場合には、セラミックス系建設廃材５に保水された水が、火災の熱によって蒸発し、この際、火災の熱の一部が蒸発潜熱として消費されることにより、火災の延焼拡大および火災室の温度上昇が抑制されることになる。さらに、保水性セラミックスが配設されることにより、スプリンクラーから放出された水が、保水性セラミックスの上部から順次保水されていくため、セラミックスを配設しない場合に比べて、火災室表面に近いところに水を留めることが可能であり、早期に火災時の温度上昇を抑制することができる。
【００４３】
＜実施例１＞
次いで、保水性を有するセラミックスの保水性能について、発明者らが行った実験を基に、詳しく説明する。
まず、この実験に使用されるセラミックスの要件を以下に示す。
材料：耐火ブランケット
寸法：縦      １５０ｍｍ
横      １５０ｍｍ
厚さ      ５０ｍｍ
体積  １１２５ｃｍ２
【００４４】
そして、上記要件のセラミックスを充分に含水させた後に、水はけの良い場所で１０分間放置して、セラミックスが保持する水重量を算出した。この算出した結果は、以下の通りである。
乾燥重量                １３９．６ｇ
１０ｍｉｎ放置後重量  １１３７．０ｇ
保持水分重量            ９９７．５ｇ
水比重                          １ｇ／ｃｍ３
体積比                    ８８．７％
平米あたり保水重量        ４４．３ｋｇ／ｍ２
【００４５】
上記の実験の結果、保水性を有するセラミックスは、体積比で８９％と高い保水性能を有していることが判明した。
【００４６】
＜実施例２＞
次に、保水性建設廃材セラミックスによる火災低減の効果について、発明者らが行った実験を基に、詳しく説明する。
まず、この実験に使用されたスプリンクラーの設置要件を以下に示す。
対象防火対象物：階数１０以下の事務室で、耐火建築物（室形状７ｍ×７ｍ）
ヘッドの型                標準型ヘッド
ヘッド防護半径            ２．３ｍ以下
ヘッド設置間隔            ２．３ｍ以下（防護半径以内）
同時解放個数              １０個
ヘッド１個あたり水源水量  １．６ｍ３
平米あたり最大放水量      ３２７Ｌ／ｍ２
【００４７】
そして、火災低減効果の計算条件を以下に示す。
Ａ．床面積            ４９ｍ２ 
Ｂ．可燃物量          ５６０ＭＪ／ｍ２ （不燃仕上げの事務所）  
Ｃ．保水材料厚さ      ５０ｍｍ                            
Ｄ．保水能力          ８８７．０ｋｇ／ｍ３ 
Ｅ．水の蒸発潜熱      ２．２５４ＭＪ／ｋｇ
【００４８】
上記火災低減効果の計算条件による結果は、以下の通りである。
Ｆ．可燃物総発熱量                    ２７４４０ＭＪ  Ａ×Ｂ
Ｇ．保持水の総蒸発潜熱量              ４８９８．２８ＭＪ  Ｅ×Ｄ×Ａ×Ｃ÷１０００
Ｈ．（総発熱量−蒸発潜熱）／総発熱量  ８２．１％  （Ｆ−Ｇ）／Ｆ×１００
なお、耐火告示式によると、火災室内の可燃物の発熱量をＱｒ、火災室内の可燃物１秒間あたりの発熱量をｑｂで表すとき、火災継続時間はＱｒ／ｑｂで表される。
総発熱量のうち、蒸発潜熱に使われた分は、火災室の温度上昇に寄与しないので、総発熱量から蒸発潜熱量を差し引いて考えると、火災継続時間は、総発熱量から蒸発潜熱量として差し引いたものに比例するため、火災継続時間は、上記計算式から、８２．１％に低減される評価となる。
【００４９】
さらに、上記スプリンクラーの最大放水量に占める上記保水性建設廃材セラミックス含有量の割合を以下に示す。
Ｉ．セラミックスの保水体積        ４４．３Ｌ／ｍ２
Ｊ．スプリンクラーの最大放水量    ３２７Ｌ／ｍ２
Ｋ．最大放水量に占める保水性
セラミックスの含水量の割合    １３．６％  Ｉ÷Ｊ×１００  
【００５０】
上記実験の結果により、スプリンクラー水源水量の内、１〜２割程度の水量を保水性セラミックスに保水させることにより、火災継続時間を約８割に低減させるのに相当する効果があることを確認した。
【００５１】
上述の実施の形態１によるフリーアクセスフロア１によれば、上記実施例１および実施例２の実験結果から、床スラブ３と、パンチングメタルからなる床パネル２が敷設された格子状の枠部材６との間に、保水性を有するセラミックス系建設廃材５を配設するため、火災の初期消火の際に、スプリンクラーから火源以外に放出された水を、床パネル２および枠部材６を介してセラミックス系建設廃材５に保水させることができる。これにより、初期消火において消火できなかった場合に、セラミックス系建設廃材５に保水された水が、火災の熱により蒸発し、この際、火災の熱の一部が蒸発潜熱として消費されることにより、火災の延焼拡大や火災室の温度上昇を抑制することができる。
【００５２】
また、火災の初期消火の際に、スプリンクラーから火源以外に放出された水の保水に、セラミックス系建設廃材５を用いるため、コストを抑えて施工することができるとともに、混入物の影響により、再利用が難しい建設廃材を容易に利用することができる。この結果、フリーアクセスフロア１の特定箇所だけでなく、広範囲に亘って、セラミックス系建設廃材５を施工することができるとともに、建設廃材のリサイクル率を向上させることができる。
【００５３】
そして、上述の実施の形態２によるフリーアクセスフロア１によれば、パンチングメタルの床パネル２と鋼板の下面パネル４との間に、セラミックス系建設廃材５を内包しているため、スプリンクラーから放出された水が、床パネル２を介してセラミックス系建設廃材５に保水された際に、セラミックス系建設廃材５の保水量の許容範囲を超えた水が、箱状に形成された下面パネル４上に流れ出した場合でも、火災室内の床スラブへの流出、当該火災室から隣室や下階への流出を防ぐことができる。これにより、水損による二次被害を最小限に抑えることができる。
【００５４】
なお、上記実施の形態において、床パネル２に用いられる通水性材料として、パンチングメタルを用いる場合のみ説明したが、これに限定されるものでなく、例えば、スリットが形成されたパネルなど、通水性を有するパネルであれば対応可能である。
また、上記実施の形態２において、下面パネル４に用いられる非通水性材料として、鋼板を用いる場合のみ説明したが、これに限定されるものでなく、例えば、アルミ板や樹脂板など非通水性を有するものであれば対応可能である。
【産業上の利用可能性】
【００５５】
オフィスなどに使用されるフリーアクセスフロアに利用することができる。
【符号の説明】
【００５６】
１  フリーアクセスフロア
２  床パネル
３  床スラブ
４  下面パネル
５  セラミックス系建設廃材
６  枠部材
７  支柱
８  カーペット
【図１】
0005693336.tif 000002
【図２】
0005693336.tif 000003